(57)【特許請求の範囲】
【請求項１】
衣類、バッグ、その他の必要物品を、保持するための衣服掛けであって、
取りつけ枠（４）、物品を前記衣服掛けに連結および／または固定するための可動固定弓（１）、および取りつけ枠（４）の対向面に対して該可動固定弓（１）を動かすための伝動要素から成り、
動力ユニット（７）が取りつけ枠（４）に連結してあり、該動力ユニット（７）が該伝動要素によって該可動固定弓（１）を固定位置に移動させるために必要な力を発生させるように構成されていることを特徴とする衣服掛け。
【請求項２】
可動固定弓（１）が、固定されたとき、取りつけ枠（４）の板状の対向面に対して押しつけられるように構成され、それによって、固定すべき物品を可動固定弓（１）と取りつけ枠（４）の前記対向面との間に固定することができることを特徴とする請求項１に記載の衣服掛け。
【請求項３】
当該伝動要素が、動力ユニット（７）の駆動力が切られている場合でも可動固定弓（１）をその固定位置に保持することができるような構造であることを特徴とする請求項１または２に記載の衣服掛け。
【請求項４】
当該伝動要素が、可動固定弓（１）を動かすための、動力ユニット（７）によって回転させられるように構成されたねじ（６）と可動固定弓（１）の端に配置されたナット（９）とから成ることを特徴とする請求項３に記載の衣服掛け。
【請求項５】
当該伝動要素が、可動固定弓（１）を動かすための、可動固定弓（１）の第一の端から延びる可動固定弓（１）に連結された歯付きの棒（１４）と動力ユニット（７）によって回転させられるように構成された歯付きのホイール（１３）とから成ることを特徴とする請求項３に記載の衣服掛け。
【請求項６】
当該伝動要素が、可動固定弓（１）の第一の端から延びていて可動固定弓（１）と支持部品とに連結された駆動ベルト（１６）、および回転装置（１５）から成ることを特徴とする請求項３に記載の衣服掛け。
【請求項７】
動力ユニット（７）が電動機であることを特徴とする請求項１から６の中のいずれか１つに記載の衣服掛け。
【請求項８】
押しつけ力を調節する制限装置、さらにまた可動固定弓（１）の自動的な固定解除及び固定機能を可能とする制御装置を有することを特徴とする請求項１から７の中のいずれか１つに記載の衣服掛け。
【請求項９】
動力ユニット（７）を使用するための、固定できるスイッチ（１１）と固定解除部品とを有することを特徴とする請求項１から８の中のいずれか１つに記載の衣服掛け。
【請求項１０】
自動料金徴収装置を有することを特徴とする請求項１から９の中のいずれか１つに記載の衣服掛け。
【発明の詳細な説明】
【０００１】
本発明は、衣類、バッグ、その他の必要物品を、保持するための衣服掛けであって、枠、および物品を前記衣服掛けに連結および／または固定するための可動固定部品、および前記取りつけ枠に対して動くことができるように構成された固定弓である固定部品を移動させるための手段、から成る衣服掛けに関する。
【０００２】
公共の建物、レストラン、会社、およびその他の類似の建物のクロークは、有人のクロークまたは無人のセルフサービスタイプのクロークである。しかし、大部分の場所においては、費用の点から、有人のクロークサービスを提供することは不可能である。特に、高価な衣服たとえばレザージャケットおよび毛皮のコートを無人の衣服掛けに放置することには、常に危険がある。また、それほど高価でない衣類でも、これを失うことは所有者にとってはやはり痛手となる。衣類の盗難が多くなってきているため、多くの地域社会、機関、および会社は、クロークサービスにより大きな関心を払うようになった。それらに対する公衆のイメージには、利用者の所有物を損なわないようにすることに責任があるという考えが含まれるからである。したがって、固定できるセルフサービス衣服掛けの必要がある。一方、要求に応じて安全な衣服掛けを賃貸することは、アスレチッククラブ、団体、その他が必要とする資金を増大させることになる。その場合、安全な衣服掛けの所有者は、顧客の建物にそれを取りつけることにより、その顧客が顧客サービスおよび安全性を高めることを可能にすることができ、一方衣服掛けを賃貸する人は、その事業に出資する資金を増大させることができる。
【０００３】
構造的解決策による固定可能な衣服掛けは、枠、該枠に取りつけられたハンガーとワイヤ、金属ひも、前記枠に取りつけられたその第一の端から延びるチェーンその他の固定部品、および該固定部品の自由端を固定するための固定装置から成る。そのような衣服掛けにより、何らかの開口部を有する衣服は、固定部品が前記開口部たとえばコートの袖またはバッグの取っ手によって形成される開口部内をすべるように通過させ、そのあと固定部品の自由端を、固定装置により、固定物品を勝手に衣服掛けから取りはずせないように固定するようなやり方で固定することができる。しかし、この固定可能な衣服掛けの一つの欠点は、前記開口部を有する物品しか該衣服掛けに固定できないということである。実際、この衣服掛けには、たとえば、ヘッドギア、グローブ、スカーフ、その他は固定することができない。もう一つの欠点は、固定部品をすべらせることを要するそのような衣服掛けの使用は、時間がかかりかつ難しいということであり、そのためこの衣服掛けは、少なくとも意図したやり方に従っては使用されないということになりうる。しかし、もっとも大きな欠点は、この衣服掛けは十分に安全なクロークサービスを保証しえないということである。というのは、もっともしばしばワイヤ、金属ひも、またはチェーンから成る固定部品は、たとえばワイヤカッターにより、きわめて容易、迅速、かつ静かに切断することができ、そのあと固定物品を衣服掛けから盗むことができるからである。
【０００４】
さらに、ＣＨ ４７０ ５７０号明細書は、固定できかつ折りたためる衣服ハンガーを開示している。このハンガーは丁番付けされた吊り下げアームを有し、該アームは、コートの袖に通して、この衣類がこのハンガーから勝手に取りはずせないように、広げて固定することができる。この衣服ハンガーの枠はさらに固定できる押しつけ部品を有し、該部品はギザギザのあるクランプを備え、これらのクランプの間に衣類をクランプし、固定することができる。しかし、この衣服ハンガーは、やや使用しにくくまた使用に時間がかかる。さらに、前記明細書に開示されているギザギザのクランプを有する押しつけ部品は、固定すべき衣類に対してやややさしさを欠き、特に、繊細な材料で作られた衣服には容易に損傷を与える。
【０００５】
ＤＥ ２６ ０５ ８３１号明細書には、固定可能な吊り下げフックを有する衣服掛けが開示されている。該フックは、下部のボールヘッドフックと上部のカップ状フックとから成り、後者のフックはその丁番の回りに回転することができ、また後者のフックは、該フックのカップが下部のボールヘッドフックのボール表面に押しつけられて、吊り下げループその他の部分によって下部フックに吊り下げられた衣類が勝手に取りはずせないように、固定位置に固定することができる。しかし、吊り下げループによる衣類の固定を使用するそのような衣服掛けは、吊り下げループその他を切断することにより、しかも衣類に実質的損傷を与えることなく、衣類を前記衣服掛けから容易に盗むことができるという欠点を有する。さらに、吊り下げループは容易に修復することができる。
【０００６】
ＦＩ ８３８０３号明細書は固定可能な衣服およびバッグハンガーを開示している。該ハンガーにおいては、衣類はクランプジョーの間に固定され、バッグはそのストラップによって前記ハンガーによって形成されるループ部分から吊り下げることができる。このハンガーは可動ジョーとねじ機構とを有し、該機構により、可動ジョーを固定ジョーに押しつけることができる。この押しつけ、また押しつけ解除は、固定シリンダーピンをキーを使って開けてから、ハンドル車を回すことによって行うことができる。しかし、この装置は、上部ジョーがその丁番の回りに回転できるため、たとえば適当な棒によって回転可能ジョーと固定ジョーとを互いに引き離すことによりハンガーをかなり容易に固定解除することができ、その場合これらのジョーはもはや衣類をクランプおよび固定しえない、という欠点を有する。この手順は非常に迅速かつ静かに実行することができる。また、この装置の使用は、固定すべき衣類の厚さが著しく変化する場合、ハンドル車の回転により衣類を固定するのに非常に時間がかかりうるという事実によっても制限を受ける。
【０００７】
本発明の目的は、信頼性が高く、簡単かつ迅速に使用され、また衣類、バッグ、その他の物品を安全に保持するのに適した衣服掛けを提供することである。
【０００８】
本発明の衣服掛けは、動力ユニットが取りつけ枠に連結してあり、該動力ユニットが移動要素により固定弓を固定位置に移動させるように構成されていることを特徴とする。
【０００９】
本発明の基礎となる重要なアイデアは、衣服掛けに対する物品の固定が固定弓によって行われ、該固定弓が取りつけ枠に対して可動であり、かつ物品を取りつけ枠に押しつけて物品を衣服掛けから勝手に取りはずすことができないように構成されている、ということである。また、重要なことは、動力ユニットが前記固定弓の移動のために衣服掛けに取りつけてあり、該動力ユニットが前記固定弓を固定解除位置と固定位置との間で動かし、さらに前記固定弓の押しつけに十分な力を発生させる、ということである。また、本発明の好ましい実施態様の基礎となる重要なアイデアは、固定弓が物品を実質的に平坦な対向面に対して固定されるように押しつけるように構成され、その場合、固定弓を横方向に動かすことが物品の固定に実質的影響を与えない、ということである。さらに、本発明の第二の好ましい実施態様に関する重要なアイデアは、移動装置が、前記動力ユニットのスイッチが切られている場合でも、固定弓を固定位置に保持することができるように設計される、ということである。本発明の第三の実施態様に関する重要なアイデアは、動力ユニットが電動機であり、衣服掛けに備えられる移動装置が、前記電動機によって回されるように構成されたねじと固定弓に取りつけられたかみ合いナットとを有する、ということである。本発明の第四の実施態様に関する重要なアイデアは、移動要素が、動力ユニットを回転させるための自己固定歯付きホイールと、固定弓の第一の端から延びる該弓に連結された自己固定歯付き棒とを有する、ということである。もう一つの実施態様に関するアイデアは、移動要素が、動力ユニットによって回転させられるように構成された薄い駆動ベルトを有し、該ベルトが曲がらないように適当な長さで支持され、該ベルトの第一の端が固定弓に連結されている、ということである。
【００１０】
本発明によって与えられる利点は、本発明がすべての種類の衣類、バッグ、その他の固定に適しているということである。原理的には、少なくとも局所的にある程度押しつけることのできるものはすべて本発明の装置により固定することができる。したがって、本発明の装置は大部分の先行技術の装置に比して汎用性があり、かつ安全である。本発明の衣服掛けは使用が簡単かつ迅速であり、したがって実施すれば実際に使用されるということであり、使用されずに放置されるという危険がない。自動機能により使用者に対するやさしさが増す。さらなる利点が、小さな寸法によって、特に、この衣服掛けは先行技術の衣服掛けに比して横方向に著しく小さなスペースしか要しないという事実によって、与えられる。したがって、本発明の衣服掛けは、与えられたスペースに対して、公知の衣服掛けよりもずっと多く取りつけることができる。したがって、本発明の装置はずっと有効にスペースを節約する。また、この装置の有利な外形と興味ある動作原理とがあいまって、この装置を好ましいものとしかつ広く使用されるものとする。もう一つの利点は、この装置はその構造と動作原理とにより非常に盗難にあいにくいということである。動力ユニットと移動要素とは十分に保護され、固定弓は硬質の材料で作られ、装置全体はしっかりと取りつけられる。もう一つの利点は、固定のための押しつけ力が使用者または装置の使用期間に依存しないということである。この装置は自動的に固定され、時間経過につれて有効性がどんどん低下するばねを含まないからである。さらに、本発明の衣服掛けはその動作のためにいろいろな電気的機能を簡単なやり方で備えつけることができる、という利点を有する。そのような機能の例としては、専用／非専用検知器および盗難警報器がある。
【００１１】
以下、添付の図面を参照しつつ本発明をさらに詳しく説明する。
【００１２】
図１は、本発明の衣服掛けの一つの実施形態の模式的一部断面側面図である。この衣服掛けは、固定弓１を有し、該弓は固定部品として作用し、好ましくは、正方形断面の金属管で作られたＵ字形の部品である。正方形の断面が好ましい。というのは、少なくとも一部分が挿入により接続されるように配置された正方形断面の固定枠２と一緒に作用して、固定弓１が固定枠２に対して横方向に動くのが妨げられるからである。固定弓１が横方向に動くのを妨げない断面形の、固定弓１と固定枠２を使用する場合、たとえば、それぞれ固定弓１にピン、固定枠２に溝を備えて、固定弓１の前後運動を可能にするが固定弓が横方向に動くのを防ぐようにすることができる。固定弓１は当然十分強い材料で作り、手では曲げられないようにする。固定弓１は管のほか中実の材料で作ることもでき、また金属でない材料も使用できる。本明細書の表現において、固定弓という言葉は、本発明のやり方で動かすことができ固定することができるすべての固定部品を意味する。固定すべき物品に対向配置される固定弓１の端には、クッション３を備えて、固定をより効果的にし、かつ弱い物品が取りつけ枠４に押しつけられたとき損傷を受けないようにする。クッション３はプラスチック材料、ゴム、または合成（ｃｏｍｐｏｕｎｄ）ゴムで作ることができる。固定に関して有利な摩擦特性を有する軟質ゴムで作ったクッション３の使用が好ましい。好ましくは正方形断面を有する管状固定枠２は、たとえば、取りつけ枠４にしっかり溶接することにより、取りつけ枠４に動かないように取りつける。主として、固定枠２の取りつけ枠４へのしっかりした盗難防止取りつけを保証するために、環状の支持フランジ５を、たとえば溶接により、固定枠２のまわりに取りつける。取りつけ枠４に、移動要素のための開口を、固定枠２のところに備える。力が加わることから保護されている取りつけ枠４の反対側には、動力ユニット７好ましくは電動機が備えられ、該ユニットに連結されたねじ６を回転させるのに使用される。ねじ６は好ましくは直接モーターの軸に連結するが、もちろん、必要であれば、モーターとねじ６との間に歯車を配置することもできる。ねじ６は動力ユニット７に隣接する端の支持軸受８によって支持される。ナット９が固定枠２に挿入される固定弓１の端にしっかりと取りつけられ、該ナットはねじ６とかみ合う。さらに、前部軸受１０が固定枠２の自由端に備えられ、固定弓１がより正確かつ容易に動けるようにしてある。固定弓１のこの軸受は、固定弓１の端にあるように配置することもできる。どちらの場合にも、たとえばプラスチック製の滑り軸受が使用できる。本発明の衣服掛けはさらに動力ユニット７を制御するための手段を有する。動力ユニット７が電動機、ソレノイド、または他の同様の電気的装置であるもっとも簡単な場合、この動力ユニットは固定可能なスイッチ１１によって制御され、その場合、スイッチ１１に合う取りはずしできるキーまたは他の同様のロック解除部品を使用することにより、動力ユニット７が、移動要素により固定弓１を固定解除または固定方向に動かすようにする。この衣服掛けは、さらに、押しつけ圧力を制限する部品、また場合によっては自動固定解除および固定を行うための部品を有する。押しつけ力を制限し、また動力ユニット７の駆動力を切るために、たとえば自動ヒューズタイプ（ａｕｔｏｍａｔｉｃ ｆｕｓｅ ｋｉｎｄ）のリミッターその他の電気技術的方策を、電気的動力装置とともに使用することができる。これと同様に、加圧媒体によって動作する動力装置とともに、適当な弁装置を使用することができる。固定弓１が取りつけ枠４に対して、または取りつけ枠４と固定弓１との間にある物品に対して、所定の力で押しつけられるとき、制限部品によって動力ユニット７の駆動力が切られ、このとき、自己固定ねじ６が、動力ユニット７とは無関係に押しつけつづけられることを保証するように作用する。この固定は動力ユニット７によってのみ解除することができる。この自動固定解除および固定の機能が意味するのは、スイッチ１１の固定解除部品または他の類似の部品を回すことにより、衣服掛けがその極限位置まで開き、そのあと、固定すべき物品を所定の位置に配置してから、固定解除部品をふたたび回すことができ、そのとき衣服掛けは自動的に固定され固定解除部品を取りはずすことができる、ということである。
【００１３】
以上のようにして、固定弓が固定すべき衣類を実質的に平坦な面に押しつけるので、固定弓の横方向の動きは押しつけの強さと固定とに実質的影響を与えない。したがって、固定弓の対向面すなわち取りつけ枠４は、好ましくは平板状で十分大きなものであり、これは、固定部品が独立のピン状突起に押しつけられるように構成されている先行技術の方策とは異なる。そのような先行技術の方策の場合、突起と固定弓との一方が他方に対して横方向に曲がると、押しつけはもはや十分でない。本発明はそのような欠点を有しないものである。さらに注意すべきことは、本出願の場合、実質的に平板状の対向面がいくぶん凹または凸の面をも意味するということである。
【００１４】
図面に示す衣服掛けの使用においては、衣類がその吊り下げループその他の適当なものによりハンガー１２から吊り下げられ、あるいは物品が適当なストラップまたはループを有するバッグその他である場合、該ループを固定弓１の自由端から吊り下げることができる。物品を吊り下げたあと、スイッチ１１により固定弓１を固定位置に動かすように動力ユニット７に指示することができる。固定すべき他の物品も同時に適当に手で取りつけ枠４に対して保持して、固定弓１が固定位置に移動している間、固定弓１が該物品をハンガー１２に掛けられた物品とともにクッション３と取りつけ枠４との間に押しつけるようにすることができる。このように、ハンガー１２または固定弓１に掛けることのできない物品も、この衣服掛けに固定することができる。
【００１５】
図２は図１に示す衣服掛けの正面図である。この衣服掛けは非常に小さな取りつけ面しか必要とせず、また同様にこの衣服掛けの使用には小さなスペースしか必要でない。したがって、本発明の衣服掛けは割合小さな相互距離に配置することができる。特に、この衣服掛けは横方向に回転する部品を有しないため、コンパクトなスペース節約配置が可能である。また、重要な固定部品が十分に保護されているため、この衣服掛けは盗難にあいにくい。
【００１６】
図３は、本発明の衣服掛けの第二の実施形態の一部断面側面図である。同じ番号は前記の図におけると同じ意味を有する。移動要素を除いて、この図の衣服掛けは前記図のものと同じであるが、この図にはスイッチが示されていない。動力ユニット７として作用するモーターもこの図の実施形態では異なる配置がなされている。移動要素は、直接または歯車によりモーターに連結された歯付きのホイール１３と、該ホイールとかみ合う、固定弓１の第一の端から延びる該弓に取りつけられた歯付きの棒１４とを有している。この移動要素は、歯車により、固定弓１がモーターと無関係に固定解除できないか、あるいは歯付きのホイール１３と歯付きの棒１４が自己固定のものであり、すなわち歯付きの棒１４が歯付きのホイール１３の回転によってのみ動くことができるようなものである。この自己固定構造は、たとえば、斜めに歯を切った歯付きホイール１３および斜めに歯を切った歯付き棒１４をそれぞれ使用することにより、実現することができる。
【００１７】
図４は、本発明の衣服掛けの第三の実施形態の一部断面側面図である。同じ番号は前記図におけると同じ意味を有する。また、この図に示す衣服掛けは前記図に示すものと基本的には同じであるが、移動要素が異なっている。この実施形態の移動要素は、直接または歯車により、動力ユニット７として作用するモーターに連結された回転装置と、固定弓の第一の端から延びる該弓に連結された薄い駆動ベルトとを有する。駆動ベルト１６は、駆動のほか、実質的に曲がることなく押しつけ力をも与えうるように支持されている。固定弓１はモーターにより回転装置１５を必要な回転方向に回すことにより移動させられ、その場合、固定弓の第一の端から延びる該弓に取りつけられた駆動ベルト１６により、固定弓１が必要な方向に動かされ、衣服掛けに固定すべき物品が取りつけ枠４に押しつけられる。駆動ベルト１６は好ましくは薄い鋼ストリップで作るが、同じ目的に適した他の要素を使用することもできる。
【００１８】
図とその説明は、本発明のアイデアの説明を意図するたけのものである。本発明は、特許請求の範囲を逸脱することなく、その細部を変更することができる。たとえば、固定弓はＵ字形と異なる形状を有することもできる。また、電気、空気圧、または油圧モーターのほか、必要な力を生成する各種のシリンダー、ソレノイド、およびその他の同様の装置が使用できる。移動要素も、図に示すものとは異なる機械的実施形態を有することができる。動力ユニットが固定弓を固定方向にのみ動かすようにし、このとき、移動要素により固定位置に固定された固定弓を、移動要素の固定を行う固定装置を使用して固定解除することができ、すなわち固定弓を固定装置を引っ張ることにより固定解除することができるようにすることができる。ハンガー１２はこの衣服掛けの動作には必要でなく、またその構造を自由に変えることもできる。この衣服掛けには自動料金徴収装置を取りつけて、衣服掛け使用料金を集めることができる。本発明の衣服掛けを何台か使用する場合、これら全体に一つの料金徴収装置を使用して、支払いに応じて、固定すべき衣服掛けが選択されるようにすることができる。さらに、取りつけ枠は、たとえば壁構造物の部分またはより大きな衣服掛け集合体の部分とすることができる。
【図面の簡単な説明】
【図１】  本発明の衣服掛けの一つの実施形態の模式的一部断面側面図である。
【図２】  図１に示す本発明の衣服掛けの模式的正面図である。
【図３】  本発明の衣服掛けの第二の実施形態の模式的一部断面側面図である。
【図４】  本発明の衣服掛けの第三の実施形態の模式的一部断面側面図である。
【符号の説明】
１  固定弓
２  固定枠
３  クッション
４  取りつけ枠
５  支持フランジ
６  ねじ
７  動力ユニット
８  支持軸受
９  ナット
１０  前部軸受
１１  固定可能なスイッチ
１２  ハンガー
１３  歯付きホイール
１４  歯付き棒
１５  回転装置
１６  駆動ベルト
【図１】
0004684417.tif 000002
【図２】
0004684417.tif 000003
【図３】
0004684417.tif 000004
【図４】
0004684417.tif 000005